(57)【特許請求の範囲】
【請求項１】
前板を高くして深い引き出しとしたものを備えたキャビネットにおいて、上面を開放したボックスを、この深い引き出しの奥の側面上に跨がってキャビネットの背板側にスライド可能に乗せるようにし、ボックスの両側板の背板側にはサイドローラを、キャビネットの両側板内にはサイドローラを受けるレールを設け、サイドローラとレールは、ボックス全体を深い引き出しの側面に完全に乗せた状態では上下に離れており、深い引き出しを開けてボックスを奥に押すことで下降してサイドローラがレールに乗るように配置したことを特徴とするキャビネット。
【請求項２】
ボックスを奥に押すとボックスが水平を保ちながら漸次下降するよう、ボックスと引き出しの向き合う面を前部を高く後部を低くなる平坦として段差を設け中央部は緩傾斜となるよう形成し、深い引き出しを開けた状態でボックスを奥にスライドさせるとサイドローラがレールに乗りキャビネット内に移動することで、深い引き出しの上面を開放するようにしたことを特徴とする請求項１記載のキャビネット。
【請求項３】
深い引き出しの側板の後端又は向板に、ボックスの前端部に設けられた掛止部が衝接することで、ボックスを押しこんだときボックスが深い引き出しに引っ掛かり離れるのを阻止するようにしたことを特徴とする請求項１又は請求項２記載のキャビネット。
【請求項４】
キャビネットのレールの奥に、サイドローラの衝接するストッパーを一体に形成し、サイドローラがレールより外れるのを防ぎ、かつ、深い引き出しを開けボックスを押し込んだ儘で深い引き出しを押し込むと、ボックスがストッパーに衝接してボックスが上昇して深い引き出しの側面上に戻るようにしたことを特徴とする請求項１乃至請求項３記載のキャビネット。
【請求項５】
深い引き出しの側板上には一乃至複数のガードパイプを渡架し、ガードパイプのボックスの乗る箇所にはパイプカバーを配し、このパイプカバーの前端にはボックスの前ローラの入り込む凹部を、後端にはパイプカバーローラを軸止するようにし、ボックスの両側板の底面にはパイプカバーに被さりスライド可能な下向きの溝条を設け、この溝条のボックスの前面側には前ローラを配するように構成し、パイプカバー上のボックスは前ローラ及びパイプカバーローラにて支えられるようにしたことを特徴とする請求項１乃至請求項４記載のキャビネット。
【請求項６】
パイプカバーの前端に深い引き出しの両側面上部を仕切る連結パイプを設けるようにしたことを特徴とする請求項５記載のキャビネット。
【請求項７】
パイプカバーローラを軸止すると共に囲む角筒を設け、その前後の外面を、前面はボックスを奥に押し込んだときに前ローラを掛止部として衝接するストッパーとし、後面はボックス側板の溝条の後端部に形成した封止部に衝接することでボックスが引き出しの前面へ繰り出さないようにするストッパーとしたことを特徴とする請求項５又は請求項６記載のキャビネット。
【発明の詳細な説明】
【０００１】
【発明の属する技術分野】
本発明は、比較的背丈の高いものを収納する引出しを備えた厨房家具用などのキャビネットに関し、デットスペースを無くして効率良く収納できるようにし、収納物を無駄な操作なく取り出しできるようにするものである。
【０００２】
【従来の技術】
従来厨房家具用のキャビネットにおいては、内部の収納に関して開き扉（観音開き或いは片開き）によるものが多用され、引き出しは一部のみであった。
しかし、最近、厨房家具用キャビネットでは、図１８に提示するものを典型として、引き出しを多用したものが多くのメーカーで採用されている。特に台輪を廃して蹴込の奥まで収納スペースとするものが好評を博している。
引き出しを多用すると収納物との関係から大型の深い引き出しも採用することになる。例えば、深い引き出しを中段に配置して、背丈の高いペットボトルや５００ミリリットルの缶ビール等を収納することになる。
この深い引き出しは前板の高さはあるものの、側板、向板は低く構成されるため、使用に際して、ストック用の比較的背丈の高いものを、引き出し前方に数列収納し、その後方に背丈の低いものを収納し、この後方の背丈の低いものの上部は開いた空間となって、デットスペースとなっていた。
【０００３】
このデッドスペースを有効利用するために、お盆やトレーを引出し後部の両側板上に乗せ、その上に使用頻度の高い包丁類や、計量カップ類等、さらにスパイス類等の調味料品類を収納することが行われている。
【０００４】
【発明が解決しようとする課題】
しかし、このような手段は、お盆やトレーの下方の引き出し内の収納物を取り出そうとすると、一旦、お盆やトレーを取り外して他の場所に置いてから必要なものを取り出し、その後再びお盆やトレーを引出しの両側板上に乗せなければならず、手間の掛かる作業を強いられていた。
【０００５】
これを避けるために、引き出しの側板上にボックスをスライド可能に配置する手段が特開２００１−１８６９４５及び特開２００１−１９６８４８に提示されている。
しかし、これらの構成においては次の問題点が指摘できる。
１．ボックスが深い引き出し本体の収納量を減少させる。
２．ボックスを引き出し本体で支える構造であるため、ボックスを本体の奥に移動できず、ボックス下の収納物を出し入れするにはボックスが邪魔になる。
３．引き出し本体の側板を加工する必要があり特別仕様となる。
【０００６】
【課題を解決するための手段】
以上の問題点を解決するために本発明は、引き出しの側面上にキャビネットの背面側にスライド自在なボックスを設けることで、深い引き出しの向板側のデッドスペースをなくし、引き出し内を最大限有効活用でき、且つ、無駄な作業をなくして作業性の良い厨房家具用などのキャビネットを提供することを目的とするものである。
更に、キャビネット内に段落ちしたレールを配することで、ボックスの位置によってその荷重位置を変更し、引き出し本体とボックスの操作を円滑かつ容易に行えるようにするものである。
【０００７】
請求項１の発明に係るキャビネットでは、前板を高くして深い引き出しとしてものを備えたキャビネットにおいて、上面を開放したボックスを、この深い引き出しの奥の側面上に跨がってキャビネットの背板側にスライド可能に乗せるようにし、ボックスの両側板の背板側にはサイドローラを、キャビネットの両側板内にはサイドローラを受けるレールを設け、サイドローラとレールは、ボックス全体を深い引き出しの側面に完全に乗せた状態では上下に離れており、深い引き出しを開けてボックスを奥に押すことで下降してサイドローラがレールに乗るように配置したものである。
上記構成によれば、深い引き出し内には、引き出し前方に背の高いものを数列収納し、その後方に背丈の低いものを整然と収納し、その上部にはスライド自在なボックスが設けられ、このボックス内に所望のものを収納できることとなって、深い引き出しにはデットスペースとなる空間が無く有効利用でき得ることとなる。そして、深い引き出しを出した状態で、ボックスをキャビネットの奥に押しやることによってボックスの下方に収納されているものを簡単に取り出すことができ得ることとなる。
機能的には、深い引き出しにボックスを乗せた儘であると、サイドローラとレールは上下に離れているので摩擦がなく、深い引き出しのスライドレールの動きに影響を与えることがない。反対にサイドローラとレールが常に接するような構成を採用すると、サイドローラとレールの摩擦により深い引き出しのスライドレールの機能を落とすこととなり出し入れに円滑さがなくなるのである。
【０００８】
請求項２の発明に係るキャビネットでは、ボックスを奥に押すとボックスが水平を保ちながら漸次下降するよう、ボックスと深い引き出しの向き合う面を前部を高く後部を低くなる平坦として段差を設け中央部は緩傾斜となるよう形成し、深い引き出しを開けた状態でボックスを奥にスライドさせるとサイドローラがレールに乗りキャビネット内に移動することで、深い引き出しの上面を開放するようにしたことを特徴とするものである。
このような構成を採用することで、ボックスをキャビネット内に押しやるときに動きがスムースとなるのである。
【０００９】
請求項３の発明に係るキャビネットでは、深い引き出しの側板の後端又は向板に、ボックスの前端部に設けられた掛止部が衝接することで、ボックスを押しこんだときボックスが深い引き出しに引っ掛かり離れるのを阻止するようにしたものである。
請求項４の発明に係るキャビネットでは、キャビネットのレールの奥に、サイドローラの衝接するストッパーを一体に形成し、サイドローラがレールより外れるのを防ぎ、かつ、深い引き出しを開けボックスを押し込んだ儘で深い引き出しを押し込むと、ボックスがストッパーに衝接してボックスが上昇して深い引き出しの側面上に戻るようにしたものである。
【００１０】
請求項５の発明に係るキャビネットでは、深い引き出しの側板上には一乃至複数のガードパイプを渡架し、ガードパイプのボックスの乗る箇所にはパイプカバーを配し、このパイプカバーの前端にはボックスの前ローラの入り込む凹部を、後端にはパイプカバーローラを軸止するようにし、ボックスの両側板の底面にはパイプカバーに被さりスライド可能な下向きの溝条を設け、この溝条のボックスの前面側には前ローラを配するように構成し、パイプカバー上のボックスは前ローラ及びパイプカバーローラにて支えられるようにしたことを特徴とするものである。
【００１１】
パイプカバー上にパイプカバーローラをボックスの底部には前ローラを配する構成を採用したことにより、ボックスのスライドがスムースとなるのである。また、パイプカバーの前端の凹部にボックスの前ローラは嵌り込むので、常態では引き出しの出し入れによりボックスが移動することなく所定の位置に乗った儘となるのである。
またガードパイプに特別の加工を施すことなく、パイプカバーにて対応するので、この構造をオプション仕様とすることができる。
【００１２】
請求項６の発明に係るキャビネットでは、パイプカバーの前端に深い引き出しの両側面上部を仕切る連結パイプを設けるようにしたものであり、このような構成を採用することで、パイプカバーの垂直維持と引き出し内の収納物のボックスへの倒れ掛かりによる移動を確実に防ぐことができるのである。
請求項７の発明に係るキャビネットでは、パイプカバーローラを軸止すると共に囲む角筒を設け、その前後の外面を、前面はボックスを奥に押し込んだときに前ローラを掛止部として衝接するストッパーとし、後面はボックス側板の溝条の後端部に形成した封止部に衝接することでボックスが引き出しの前面へ繰り出さないようにするストッパーとしたことを特徴とするものである。
ボックスのストッパーをパイプカバーに設けたパイプカバーローラに一体に設けるようにしたので、構成が簡略化されることになるのである。
【００１３】
【発明の実施の形態】
以下、この発明の好適な実施の形態を厨房家具用のキャビネットとして図１乃至図１２を参照しながら、詳細に説明する。
尚、以下に述べる実施の形態は、本発明の好適な具体例であるから、技術的に好ましい種々の限定が付されているが、本発明の範囲は、以下の説明において特に限定する旨の記載がない限り、これらの態様に限られるものではない。
例えば、厨房家具用のキャビネットのみではなく、洗面化粧台用のキャビネット、一般的な事務所のキャビネット或いは事務机の引き出しについても適用することができる。
【００１４】
図１は、本発明による厨房家具用キャビネットの内で引き出しキャビネット１に適用したものを示すもので、図２は要部斜視図である。
引き出しキャビネット１は他のキャビネットと同様に、底板１１、左右の側板１２及び背板１３により上面及び前面を開放するようにしてなり、上部はシンクやコンロを組み込むようにした天板を載置し、全体としては複合調理家具として構成することになる。
なお、引き出しキャビネット１の側板１２、１２の前面側の下部は、所謂蹴込み部の高さ及び奥行きに合わせて切除されている。
この実施の形態では、引き出しキャビネット１に適用した例を提示するが、その他のコンロ用キャビネット、シンクキャビネット、調理台キャビネットについても適用することができる。
【００１５】
引き出しキャビネット１は、上から比較的浅い二段の引出し２、２と比較的背丈の高いものを収納できる大型の深い引出し３を備えている。
この深い引き出し３は、底板３１、側板３２、３２、向板３３及び下部を蹴込となるよう凹ませた前板３４からなり、側板３２、３２上で向板３３及び前板３４に夫々２本のガードパイプ３５、３６を渡すようにしてある。
上部のガードパイプ３６と向板３３の高さをほぼ同じとして、前板３４を高くすることで深くなるようにしてある。
【００１６】
この深い引き出し３の後部上に、上面を開放したボックス４を乗せるようにする。深い引き出し３の出し入れではボックス４は乗ったままとする。
図１５、図１６のように深い引き出し３を出すことで表れるボックス４を奥に押し込むことで引き出しキャビネット１内に入り込むようにする。
また、このボックス４は上に持ち上げると簡単に外せるようになっている。
ガードパイプ３６、３６のボックス４の乗る箇所にはパイプカバー５、５を取り付けるようにしている。
【００１７】
図２に示すように、ボックス４は、金属板を溝型に屈曲して前板４１、底板４２及び背板４３とし、プラスチック成形品である側板４４、４４を嵌め込むようにしてなるもので、前板４１上には前パイプ４５を配し側板４４、４４に差し込むようにしてある。前パイプ４５はボックス４をスライドさせるときの把手となる。
図３乃至図７に示すように、側板４４の底面は、パイプカバー５のパイプカバーローラ５３がスライド可能な下向きの溝条４４１を設け、この溝条４４１の前面側には前ローラ４４２を配している。また、溝条４４１の後端部は一体に形成した封止部４４３を設け、深い引き出し３の向板３３に掛止されることでボックス４の前面への移動を阻止するようにしてある。
また側板４４の外周の前後に脱落防止ガイド４４４、４４４を垂設して、斜め上からの力がかかってもボックス４が滑落しないようにしてある。
溝条４４１をほぼ三分割して前端部４ａを高く、後端部４ｃを低くし、その段差は２〜３ｍｍの平坦とし、中央部は緩斜面４ｂとなるようにしてある。
ボックス４の側板４４、４４の背面側にはサイドローラ４４５、４４５を突出するように設けてある。
【００１８】
図２に示すようにパイプカバー５、５はガードパイプ３６のボックス４を乗せる箇所に被せて、ボックス４がスライドすることでガードパイプ３６表面の擦れによる汚損からの保護を図るために有効である。
図８乃至図１１にその詳細を示すように、このパイプカバー５の前端にはボックス４の前ローラ４４２の一部が嵌り込む凹部５１を、後端には角筒５２にて囲繞され軸止されたパイプカバーローラ５３を設けるようにしている。また後端は向板３３にも被さるようにしてある。
凹部５１より角筒５２に至る上面の前端部５ａと後端部５ｃは平坦であるが、前者より後者を２〜３ｍｍ低くし、中央部は緩斜面５ｂ（図９参照）となるように構成してある。これはボックス４の溝条４４１に対応させたものである。
角筒５２の前後の外面は、前面はボックス４を奥に押し込んだ時に前ローラ４４２の衝接するストッパー５２１とし、後面はボックス４の溝条４４１の後端部に形成した封止部４４３に衝接することでボックス４が深い引き出し３の前面へ繰り出さないようにするストッパー５２２としてある。ここにはゴム製などの緩衝材を貼着することが望ましい。
【００１９】
複数の一端を軸止めして開閉自在としたジョイント５４、５４によりガードパイプ３６を挟みビス５５で止めるようにする。（図１０、図１１参照）
５６は連結パイプ６を繋ぐスリーブで、パイプカバー５、５は、そのスリーブ５６、５６に連結パイプ６を挿入することで前端で繋がることになる。
連結パイプ６は、パイプカバー５、５の回転を防ぐ姿勢の維持と深い引き出し３内手前の収納物のボックス４への倒れ掛かりを防ぐために有効である。
パイプカバー５、５は連結パイプ６を繋げた状態でガードパイプ３６に被せてジョイント５４を巻くように挟みビス５５で固定することになる。
【００２０】
一方、引き出しキャビネット１の側板１２、１２内には前後方向にボックス４のサイドローラ４４５、４４５を受けるレール１５、１５を設けるようにしてある。
このレール１５は鋼板をＬ形に屈曲して水平面１５１と取付面１５２としたもので、取付面１５２を側板１２に沿わせてビスにより固定する。
ボックス４を深い引き出し３のガードパイプ３６に乗せた状態で出し入れしても、ボックス４のサイドローラ４４５は、引き出しキャビネット１のレール１５の水平面１５１とは２〜３ｍｍ離れるよう配置してある。
【００２１】
深い引き出し３の出し入れがあっても、ボックス４はその前端部の前ローラ４４２がパイプカバー５の凹部５１に嵌り込むことで前後への移動を防ぎ、かつ、ボックス４の後端部には封止部４４３があって、パイプカバーローラ５３の角筒５２の後面に衝接することで前方への移動のストッパーとなる。そこで、ボックス４が前方に動くのを阻止するので、ボックス４が深い引き出し３の前部への収納物にぶつかることはない。
また前ローラ４４２自体が掛止部となって、角筒５２の前面に衝接することでボックス４が深い引き出し３に引っ掛かり、ボックス４が単独でレール１５に乗ることがないのである。
【００２２】
ここで、図１２に基づきボックス４の動きを説明すると次の通りである。
ボックス４が乗せられた深い引き出し３を引き出した状態で（図１２ａ）、ボックス４を引き出しキャビネット１内に押すと、ボックス４の溝条４４１の形態とパイプカバー５の上面の形態を同一としてあるので、前ローラ４４２及びパイプカバーローラ５３が回転し、ボックス４は水平を保ちながらスライドし途中から緩やかに下降すると図１２ｂに示す通り、ボックス４は前ローラ４４２パイプカバーローラ５３及びサイドローラ４４５の三点で支持される。すなわち、前ローラ４４２がパイプカバーローラ５３に近付き傾斜面に至ると、ボックス４のサイドローラ４４５がレール１５の水平面１５１に乗り、ボックス４及び収納物の荷重がレール１５にも移ることになる。
そして、ボックス４が下降し終わって平坦な箇所に至ると、図１２ｃに示す通りボックス４の荷重はパイプカバー５に乗った前ローラ４４２及びレール１５に乗ったサイドローラ４４５に移り支持され、パイプカバーローラ５３はボックス４の溝条４４１から離れることになる。
ボックス４には前ローラ４４２があり、これがパイプカバー５、５の角筒５２（図１２では省略）に衝接することになるで、ボックス４は深い引き出し３に掛け止められて離れず、ボックス４の奥はレール１５に乗るので引き出しキャビネット１内に落下することがない。換言すれば、ボックス４を一番奥まで押し込んでも前ローラ４４２はガードパイプ３６上のパイプカバー５に乗っており、ボックス４内の収納物の荷重はレール１５とパイプカバー５に分散されることになる。
ボックス４を所定の位置すなわち、パイプカバー５上に戻してから、深い引き出し３を閉じるようにすることが望ましい。
【００２３】
レール１５、１５の奥には、深い引き出し３にボックス４を乗せたまま引き出しキャビネット１内に入れると、サイドローラ４４５の衝接するストッパー１５３を一体に折曲形成してある。
そこで、ボックス４のサイドローラ４４５のレール１５からの落ち込みを防ぎ、かつ、ボックス４を所定の位置に戻さず引き出しキャビネット１内に押し込んだままで深い引き出し３を閉じても、ボックス４がガードパイプ３６のパイプカバー５の上に戻ることになる。すなわち、レール１５、１５上をスライドするボックス４は、ストッパー１５３がサイドローラ４４５に衝接することで停止し、前ローラ４４２及びパイプカバーローラ５３が働き水平面から斜面により上昇し、レール１５から離れてパイプカバー５に乗り、最終的には水平面から前ローラ４４２がパイプカバー５の凹部５１に嵌り込み停止するのである。
ボックス４の前ローラ４４２及びパイプカバー５のパイプカバーローラ５３をなくして、ボックス４とパイプカバー５が直接摺接するように構成してもよい。
これまでの実施の形態では、最下段に深い引き出し３を備えたもので、ここにボックス４を乗せるとしているが、深い引き出しであれば中段或いは上段に配置したものであってもよい。
【００２４】
図１３乃至図１６は、別の実施の形態を示すもので、同一箇所には同一符号を付して説明を省略する。
この実施の形態にあっては、深い引き出し３にパイプカバーを設けずに、ボックス４をスライドさせるようにしてなるものである。
ボックス４の側板４４、４４を底板４２より下方に突き出すように長くして、ガードパイプ３６に跨がって乗るようにして、左右よりずり落ちないようにしてあり、前板４１に一以上の掛止片４１１を一体に下方に突出させ、深い引き出し３の向板３３の内側に衝接することでボックス４を引き出しキャビネット１内に押し込んでも離れないようにしてあり、また、背板４３に同様に掛止片を下方に突出させるか（図示せず）、或いは背板４３を側板４４同様に長くして下端部を掛止片４３１として深い引き出し３の向板３３の外側に衝接することで、ボックス４が深い引き出し３の前方の収納部の上部を塞がないようにしてある。
この実施の形態では、ボックス４とガードパイプ３６の接触面を平坦としてあるが、深い引き出し３を開けてボックス４を引き出しキャビネット１の奥に押し込むと数ミリの段差によりボックス４の荷重がレール１５に移るので格別の問題は生じない。
深い引き出し３のみの出し入れに際しては、ボックス４及び収納物の荷重及び接触面の摩擦により前後への移動が阻止され、ボックス４は所定の位置に乗ったままとなる。
図１７は、深い引き出し３がガードパイプ３５、３６を備えず、側板３２、３２上にボックス４をスライドさせるようにしたものである。
【００２５】
【発明の効果】
この発明は以上のような構成からなり、請求項１の発明に係るキャビネットでは深い引き出し前方に背の高いものを数列収納し、その後方に背丈の低いものを整然と収納し、その上部にはスライド自在なボックスが設けられ、このボックス内に所望のものを収納することができることとなって、デットスペースとなる空間がなく有効利用でき得ることとなる。そして、深い引き出しを出した状態で、ボックスを下降させキャビネットの奥に押しやることによってボックスの下方に収納されているものを簡単に取り出すことができることとなる。
また、深い引き出しにボックスを乗せた儘では、深い引き出しを出し入れしてもサイドローラとレールは上下に離れているので、深い引き出しのスライドレールの機能を、サイドローラとレールの摩擦により阻害することがなく動きがスムースとなるのである。
【００２６】
請求項２の発明に係るキャビネットでは、ボックスを奥に押すとボックスが水平を保ちながら漸次下降するよう、ボックスと引き出しの向き合う面を前部を高く後部を低くなる平坦として段差を設け中央部は緩傾斜となるよう形成し、引き出しを開けた状態でボックスを奥にスライドさせるとサイドローラがレールに乗りキャビネット内に移動するので、ボックスの移動がスムースとなり操作性が良くなるのである。
【００２７】
請求項３の発明に係るキャビネットでは、深い引き出しの側板の後端又は向板に、ボックスの前端部に設けられた掛止部が衝接することで、ボックスを押しこんだときボックスが深い引き出しに引っ掛かり離れるのを阻止するようにしたので、簡単に取り外し自在でありながら、使用に際しての一体性を備えることになるのである。
請求項４の発明では、キャビネットのレールの奥に、サイドローラの衝接するストッパーを一体に形成し、サイドローラがレールより外れるのを防ぎ、かつ、深い引き出しを開けボックスを押し込んだ儘で深い引き出しを押し込むと、ボックスがストッパーに衝接してボックスが上昇して引き出しの側面上に戻るようにしたので、使用に際してボックスを意識することなく深い引き出しの出し入れができることになる。
【００２８】
請求項５の発明では、深い引き出しの側板上には一乃至複数のガードパイプを渡架し、ガードパイプのボックスの乗る箇所にはパイプカバーを配し、このパイプカバーの前端にはボックスの前ローラの入り込む凹部を、後端にはパイプカバーローラを軸止するようにし、ボックスの両側板の底面にはパイプカバーに被さりスライド可能な下向きの溝条を設け、この溝条のボックスの前面側には前ローラを配するように構成し、パイプカバー上のボックスは前ローラ及びパイプカバーローラにて支えられるようにしたので、ローラによりボックスがスライドするので動きがスムースになり、かつ、ガードパイプを被覆するパイプカバーを採用したのでガードパイプを汚損から保護し、このボックスを備えたキャビネットを特別仕様でなくオプションとして提供できるのである。
【００２９】
請求項６の発明では、パイプカバーの前端に引き出しの両側面上部を仕切る連結パイプを設けるようにしたので、深い引き出し前方の収納物のボックスへの倒れ掛かりを防ぎ、むやみにボックスがキャビネット内に入り込むことがなく、パイプカバーのよじれや回転を防ぐことができることになる。
請求項７の発明では、パイプカバーローラを軸止すると共に囲む角筒を設け、その前後の外面を、前面はボックスを奥に押し込んだときに前ローラを掛止部として衝接するストッパーとし、後面はボックス側板の溝条の後端部に形成した封止部に衝接することでボックスが引き出しの前面へ繰り出さないようにするストッパーとしたので、深い引き出しとボックスは前後にスライドさせている限りは一体化して離れず、しかも、前面への移動を確実に阻止し、後方に移動しても深い引き出しとつながって離れないことになる。
【図面の簡単な説明】
【図１】この発明に係る引き出しキャビネットの断面図である。
【図２】深い引き出しの要部斜視図である。
【図３】ボックスの正面図である。
【図４】ボックスの側面図である。
【図５】ボックスの前ローラを示す要部拡大図である。
【図６】ボックスの側板の脱落防止ガイド部分の端面図である。
【図７】サイドローラの取り付け状態を示す拡大図である。
【図８】パイプカバーの平面図である。
【図９】パイプカバーの側面図である。
【図１０】ジョイントを示す断面図である。
【図１１】パイプカバーローラを示す要部背面図である。
【図１２】深い引き出しとボックスの動きの概略を示す側面図である。
【図１３】別の実施の形態の深い引き出しを示す斜視図である。
【図１４】図１３の実施の形態の収納状態の断面図である。
【図１５】図１３の深い引き出しを出した状態の断面図である。
【図１６】図１３の深い引き出しを引き出してボックスを押し込んだ状態の断面図である。
【図１７】さらに別の実施の形態の深い引き出しを示す斜視図である。
【図１８】最近の厨房家具キャビネットの構成を示す斜視図である
【符号の説明】
１  引き出しキャビネット
１１  底板
１２  側板
１３  背板
１５  レール
１５１  水平面
１５３  ストッパー
２  引き出し
３  深い引き出し
３１  底板
３２  側板
３３  向板
３４  前板
３５、３６  ガードパイプ
４  ボックス
４１  前板
４２  底板
４３  背板
４４  側板
４４１  溝条
４４２  前ローラ
４４３  封止部
４４４  脱落防止ガイド
４４５  サイドローラ
４５  前パイプ
５  パイプカバー
５１  凹部
５２  角筒
５３  パイプカバーローラ
６  連結パイプ
【図１】
0003593520.tif 000002
【図２】
0003593520.tif 000003
【図３】
0003593520.tif 000004
【図４】
0003593520.tif 000005
【図５】
0003593520.tif 000006
【図６】
0003593520.tif 000007
【図７】
0003593520.tif 000008
【図８】
0003593520.tif 000009
【図９】
0003593520.tif 000010
【図１０】
0003593520.tif 000011
【図１１】
0003593520.tif 000012
【図１２】
0003593520.tif 000013
【図１３】
0003593520.tif 000014
【図１４】
0003593520.tif 000015
【図１５】
0003593520.tif 000016
【図１６】
0003593520.tif 000017
【図１７】
0003593520.tif 000018
【図１８】
0003593520.tif 000019